(57)【要約】      （修正有）【課題】保冷剤を入れて使用する保冷枕の冷たさや保温剤を入れて使用する保温具の温かさを簡単に調整することができる保冷保温両用断熱具を提供する。【解決手段】略中央部に開口部２２が形成された表面ボード８と、表面ボード８と、裏面ボード１０と、裏面ボード１０と、通気孔２６が形成された１つ又は複数の中間ボード１２、１４、１６とから成る。各ボードは、外形が略矩形の断熱シートからなり、折り目６を介して折り畳み可能に一体的に形成され、各ボードを重ねて折り畳んだとき、任意の各ボード間に保冷・保湿剤を収納できる。【選択図】図１
0003178085.tif 000002
【実用新案登録請求の範囲】
【請求項１】
保冷具又は保温具として使用するための断熱具であって、外形が略矩形の断熱シートからなり、略中央部に開口部（２２）が形成された表面ボード（８）と、該表面ボード（８） と略同形の断熱シートからなる裏面ボード（１０）と、該裏面ボード（１０）と略同形の断熱シートからなり通気孔（２６）が形成された１つ又は複数の中間ボード（１２）（１４）（１６）とを備え、前記各ボードは、折り目（６）を介して折り畳み可能に一体的に形成され、前記各ボードを前記表面ボード（８）を最上部に前記裏面ボード（１０）を最下部となるように重ねて折り畳んだとき、任意の各ボード間に保冷・保湿剤を収納できるようにしたことを特徴とする保冷保温両用断熱具。
【考案の詳細な説明】
【技術分野】
【０００１】
本考案は、冷たさを変化させたり或いはや温かさを変化させることができるようにして所望のレベルの冷たさや暖かさが選べるようにした保冷及び保温両用断熱具に関する。
【背景技術】
【０００２】
断熱シートを袋状に形成し、内部に保冷剤を挿入配置して、保冷枕として使用する保冷剤用断熱カバーが従来知られている（例えば特許文献１参照）。
【先行技術文献】
【特許文献】
【０００３】
【特許文献１】特開２０１０−２３６７４１
【考案の概要】
【考案が解決しようとする課題】
【０００４】
保冷剤を断熱シートの袋に入れ、この袋を保冷枕として利用する場合、枕の冷たさを調整するには、タオル等を用意し、これを断熱シートの袋に重ねるなどの工夫が必要であり、別途冷たさの調整のための用具が必要であった。
本考案は上記問題点を解決することを目的とする。
【課題を解決するための手段】
【０００５】
上記目的を達成するため本考案は、保冷具又は保温具として使用するための断熱具であって、外形が略矩形の断熱シートからなり、略中央部に開口部（２２）が形成された表面ボード（８）と、該表面ボード（８） と略同形の断熱シートからなる裏面ボード（１０）と、該裏面ボード（１０）と略同形の断熱シートからなり通気孔（２６）が形成された１つ又は複数の中間ボード（１２）（１４）（１６）とを備え、前記各ボードは、折り目（６）を介して折り畳み可能に一体的に形成され、前記各ボードを前記表面ボード（８）を最上部に前記裏面ボード（１０）を最下部となるように重ねて折り畳んだとき、任意の各ボード間に保冷・保温剤を収納できるようにしたものである。
【考案の効果】
【０００６】
本考案は、保冷剤又は保温剤の上の断熱層の数を選択することで保冷枕の冷たさや足熱具などの温かさを簡単に調整することができる。
【図面の簡単な説明】
【０００７】
【図１】本考案に係る断熱具の展開図である。
【図２】断熱具の断面説明図である。
【図３】保冷枕の展開説明図である。
【考案を実施するための形態】
【０００８】
以下に本考案の構成を保冷枕として使用した実施形態を参照して詳細に説明する。
図１は断熱具２の全体展開図であり、一枚の横長の断熱シート４に折り目６を形成して、この折り目６を境界として表面ボード８、裏面ボード１０、第１中間ボード１２、第２中間ボード１４、及び第３中間ボード１６に区画している。折り目６によって区画された各ボード８，１０，１２，１４，１６の形状は互いに同形の矩形となっている。
【０００９】
断熱シート４の外側には、アルミニウム層１８が接着されている。表面ボード８の中央には、折り畳んだ状態の断熱具２内に配置される市販の保冷剤２０の冷気を外部に伝えるための開口部２２が形成され、この開口部２２は、プラスチック製の通気性ネット２４によって塞がれている。中間ボード１２，１４，１６の各層も、保冷剤２０の冷気を表面ボード８方向に伝えるための通気孔２６が複数形成され、これらは、各ボードの断熱シートに接着された通気性のプラスチックからなるネット２８によって塞がれている。裏面ボード１０の内側には、通気性ネットなどからなる保護シート３０が接着されている。
【００１０】
次に、断熱具２を保冷枕として使用する操作方法を図２を参照して説明する。
まず、断熱具２を折り畳むには、展開した状態から、折り目６を中心として断熱シート４を内側に追って中間ボード１６を中間ボード１４に重ね、次に、折り目６を中心として２枚の中間ボード１６，１４を重ねたまま内側に折って、中間ボード１６，１４を中間ボード１２に重ね、三層状態とし、更に、この三層状態から折り目６を中心として内側に折って四層状態とする。
【００１１】
枕を最も冷たい状態にしたいときは、四層の一番上に位置する中間ボード１２の外側に保冷剤２０を置き、その上に折り目６を中心に断熱シート４を内側に折って、保冷剤２０の上に表面ボード８を重ねる（図２Ａ参照）。枕の冷たさを１段階弱くしたいときは、保冷剤２０を中間ボード１２と中間ボード１６の間に配置する（図２Ｂ参照）。この状態では、保冷剤２０の上に、中間ボード１２と表面ボード８の二層が重なって配置されるため、一層分冷たさが弱くなる。
【００１２】
更に、枕の冷たさを一段階弱くしたいときは、図２Ｃに示すように保冷剤２０を中間ボード１４と中間ボード１６の間に配置する。これにより保冷剤２０の上には、表面ボード８と中間ボード１２，１６の三層の断熱層が形成され、断熱層の増加した分枕の冷たさが弱くなる。枕の冷たさを最も弱くしたいときは、保冷剤２０を裏面ボード１０と中間ボード１４との間に配置する。これにより保冷剤２０の上には３つの中間ボード１４，１６，１２と１つの表面ボード８とからなる４層の断熱層が形成される。
【００１３】
保冷剤２０を配置した四つ折りに折り畳んだ断熱具２をそのまま枕として使用できるが、図３に示すように断熱具２用のまくらカバー３２を設けても良い。枕カバー３２は布地により構成し、展開した状態の本体の内側の左側に浅い袋部３４を設け、右側に深い袋部３６を設ける。左側の袋部３４には、表面ボード８の側部を受け入れる差込部３４ａが設けられ右側の袋部３６，１２は、断熱具２の折り畳まれた部分の側端を受け入れる差込口３６ａが設けられている。
【００１４】
断熱具２の表面ボード８を開いた状態で保冷剤２０を配置した折り畳まれた部分を袋部３６内に挿入し、表面ボード８を袋部３４内に挿入し、該状態で本体の折り目３８を中心として、本体を内側に折り、本体の重なった部分を適宜、剥離自在な接着具４０やチャックなどで止める。
【００１５】
尚、本考案に係わる断熱具は、上記した保冷枕として使用する保冷具としての実施形態に特に限定されるものでなく、レンジで温めて使用できる市販の保温剤を足熱具などに使用する保温具としての実施形態にも応用することができる。また、中間ボードの数も図示した実施形態に特に限定されるものではない。
【符号の説明】
【００１６】
２        断熱具
４        断熱シート
６        折り目
８        表面ボード
１０      裏面ボード
１２      第１中間ボード
１４      第２中間ボード
１６      第３中間ボード
１８      アルミニウム層
２０      保冷剤
２２      開口部
２４      ネット
２６      通気孔  
２８      ネット
３０      保護シート
３２      枕カバー
３４      袋部
３６      袋部
４０      接着具
【図１】
0003178085.tif 000003
【図２】
0003178085.tif 000004
【図３】
0003178085.tif 000005